(57)【要約】      （修正有）【課題】回転式アダプタプラグの提供。【解決手段】本体１は円形凹溝１１を具え、該円形凹溝の中央のプラットフォーム１２の中央に位置決め柱１３が設けられ、該円形凹溝の内縁に沿って複数の第１係合固定部１４が設けられ、該本体の一側より該円形凹溝にチャネル１５が延伸され、該チャネルに位置決めブロック１６が設けられる。固定片２は該チャネルにあって往復移動し、固定片が一側の係合部２２により該プラットフォームと該位置決めブロックの間で往復移動する。プラグ３は本体の円形凹溝内で回転可能な円形底座３１を具え、該円形底座の中央に位置決め凹溝３２が設けられて本体の位置決め柱と対応し、該円形底座の周縁に複数の第２係合固定部３３が設けられ、第１及び第２係合固定部の係合により該プラグと該本体が固定され、該円形底座の周囲に設けられた切欠きが該固定片の係合部と対応し該プラグを該本体の円形凹溝内に固定し回転を停止させる。【選択図】図１
0003105984.tif 000002
【実用新案登録請求の範囲】
【請求項１】
本体、固定片、プラグを具え、
該本体に円形凹溝が設けられ、該本体の一側より該円形凹溝にチャネルが設けられ、該チャネルの両側にそれぞれガイドレールが設けられ、
該固定片の両側に該ガイドレールと対応するレールが設けられ、該固定片が該チャネルにあって往復移動可能とされ、該固定片の一側に係合部が設けられ、
該プラグは、該円形凹溝に対応する円形底座を具え、該プラグが該円形底座により該本体の該円形凹溝内を回転可能とされ、該円形底座の周囲の適宜位置に切欠きが設けられ、該切欠きは該固定片の係合部に対応し、該プラグが該本体の円形凹溝内にあって固定されて回転停止されることを特徴とする、回転式アダプタプラグ。
【請求項２】
請求項１記載の回転式アダプタプラグにおいて、円形凹溝の中央にプラットフォームが設けられ、該プラットフォームの中央に位置決め柱が設けられ、プラグの円形底座の中央に位置決め凹溝が設けられ、該位置決め凹溝が該本体の位置決め柱と対応し、本体とプラグの位置決め、結合に供されることを特徴とする、回転式アダプタプラグ。
【請求項３】
請求項１記載の回転式アダプタプラグにおいて、チャネルに位置決めブロックが設けられて係合部の位置決めに供され、固定片がプラットフォームと該位置決めブロックの間を往復移動することを特徴とする、回転式アダプタプラグ。
【請求項４】
請求項１記載の回転式アダプタプラグにおいて、本体の円形凹溝の内縁に沿って複数の第１係合固定部が設けられ、プラグの円形底座の周囲に複数の第２係合固定部が設けられ、第１と第２係合固定部の対応により、プラグと本体が係合、固定されることを特徴とする、回転式アダプタプラグ。
【請求項５】
請求項１記載の回転式アダプタプラグにおいて、弾性手段を具え、固定片が支持部を具え、弾性手段の両端は支持部と位置決めブロックに固定され、固定片がチャネルにあって弾性的に往復移動することを特徴とする、回転式アダプタプラグ。
【請求項６】
請求項１記載の回転式アダプタプラグにおいて、本体のプラットフォームに複数の電器接点が設けられ、プラグの位置決め凹溝の両側に複数のプラグ接点が設けられ、電器接点とプラグ接点の位置が相互に対応し、プラグと本体の結合時に電器との接続が達成されることを特徴とする、回転式アダプタプラグ。
【考案の詳細な説明】
【技術分野】
【０００１】
本考案は一種のプラグの構造に係り、特に携帯に便利な旅行用の回転式の電源変換用アダプタプラグの構造に関する。
【背景技術】
【０００２】
現代人の旅行の機会はますます多くなっているが、携帯する電気製品、例えば電動シェーバー、携帯電話等のバッテリーの電気量は有限であり、コンセントを利用して充電を行なう必要が生じる。また一度に多くの国を旅行する場合は、国によって電源電圧が異なる場合があり（例えばある国では１１０Ｖの電源、別の国では２２０Ｖ電源を使用）、携帯するプラグを電源に合わせて交換しなければならない（我々が日常使用する２ピンプラグではなく３ピンプラグのものがある）。このため、プラグを交換できる電源供給器があれば、各地を旅行する使用者にとって大きな福音となる。
【考案の開示】
【考案が解決しようとする課題】
【０００３】
ゆえに、本考案は一種の回転式アダプタプラグを提供することを目的とし、それは、本体、固定片、プラグを具え、本体に円形凹溝が設けられ、該円形凹溝の中央にプラットフォームが設けられ、該プラットフォームの中央に位置決め柱が設けられ、該円形凹溝の内縁に沿って複数の係合固定部が設けられ、該本体の一側より該円形凹溝にチャネルが延伸され、該チャネルに位置決めブロックが設けられ、該チャネルの両側縁にガイドレールが設けられ、該固定片はその両側にこれらガイドレールと対応するレールが設けられ、該固定片が該チャネルに固定されて往復移動し、且つ該固定片の一側に係合部があり、該係合部の位置決めにより該固定片が該プラットフォームと該位置決めブロックの間を往復移動し、該プラグは該円形凹溝に対応する円形底座を具え本体の円形凹溝内で回転可能で、該円形底座の中央に位置決め凹溝が設けられて本体の位置決め柱と対応し、該円形底座の周縁に複数の第２係合固定部が設けられ、第１及び第２係合固定部が相互に対応して該プラグと該本体が固定され、該円形底座の周囲に切欠きが設けられ、該切欠きが該固定片の係合部と対応し該プラグを該本体の円形凹溝内に固定し回転を停止させられるものとする。
【０００４】
これにより、ＡＣプラグと本体が分離され、製品の応用範囲を広げ、少量の多様な変化性製品を生産できる。さらに、本考案はＡＣプラグと本体を分離してモジュール化製造できるため、製造工程の標準化レベルを高めることができる。
【課題を解決するための手段】
【０００５】
請求項１の考案は、本体、固定片、プラグを具え、
該本体に円形凹溝が設けられ、該本体の一側より該円形凹溝にチャネルが設けられ、該チャネルの両側にそれぞれガイドレールが設けられ、
該固定片の両側に該ガイドレールと対応するレールが設けられ、該固定片が該チャネルにあって往復移動可能とされ、該固定片の一側に係合部が設けられ、
該プラグは、該円形凹溝に対応する円形底座を具え、該プラグが該円形底座により該本体の該円形凹溝内を回転可能とされ、該円形底座の周囲の適宜位置に切欠きが設けられ、該切欠きは該固定片の係合部に対応し、該プラグが該本体の円形凹溝内にあって固定されて回転停止されることを特徴とする、回転式アダプタプラグとしている。
請求項２の考案は、請求項１記載の回転式アダプタプラグにおいて、円形凹溝の中央にプラットフォームが設けられ、該プラットフォームの中央に位置決め柱が設けられ、プラグの円形底座の中央に位置決め凹溝が設けられ、該位置決め凹溝が該本体の位置決め柱と対応し、本体とプラグの位置決め、結合に供されることを特徴とする、回転式アダプタプラグとしている。
請求項３の考案は、請求項１記載の回転式アダプタプラグにおいて、チャネルに位置決めブロックが設けられて係合部の位置決めに供され、固定片がプラットフォームと該位置決めブロックの間を往復移動することを特徴とする、回転式アダプタプラグとしている。
請求項４の考案は、請求項１記載の回転式アダプタプラグにおいて、本体の円形凹溝の内縁に沿って複数の第１係合固定部が設けられ、プラグの円形底座の周囲に複数の第２係合固定部が設けられ、第１と第２係合固定部の対応により、プラグと本体が係合、固定されることを特徴とする、回転式アダプタプラグとしている。
請求項５の考案は、請求項１記載の回転式アダプタプラグにおいて、弾性手段を具え、固定片が支持部を具え、弾性手段の両端は支持部と位置決めブロックに固定され、固定片がチャネルにあって弾性的に往復移動することを特徴とする、回転式アダプタプラグとしている。
請求項６の考案は、請求項１記載の回転式アダプタプラグにおいて、本体のプラットフォームに複数の電器接点が設けられ、プラグの位置決め凹溝の両側に複数のプラグ接点が設けられ、電器接点とプラグ接点の位置が相互に対応し、プラグと本体の結合時に電器との接続が達成されることを特徴とする、回転式アダプタプラグとしている。
【考案の効果】
【０００６】
本考案は携帯に便利な旅行用の回転式の電源変換用アダプタプラグの構造を提供し、本考案は複数種類のプラグを携帯する面倒を免除し、更に製造者の少量生産に便利であり、ＡＣプラグと本体が分離されたことで製品の応用範囲を広げることができ、少量の多様な変化の製品を生産できる。さらに、本考案はＡＣアダプタと本体が分離されたことによりモジュール化製造でき、工程標準化レベルを高めることができる。
【考案を実施するための最良の形態】
【０００７】
図１、２に示されるように、本考案の回転式アダプタプラグは、本体１、固定片２、プラグ３を具えている。
【０００８】
該本体１に円形凹溝１１が設けられ、該円形凹溝１１の中央にプラットフォーム１２が設けられ、該プラットフォーム１２の中央に位置決め柱１３が設けられている。且つ該プラグ３は円形底座３１を具え、該円形底座３１と該本体１の円形凹溝１１が相互に対応し、該プラグ３の円形底座３１が該本体１の円形凹溝１１内を回転可能とされる。更に、該円形底座３１の中央に位置決め凹溝３２が設けられて、本体１の位置決め柱１３と相互に対応し、該プラグ３を該本体１に置く時の位置決めに供される。
【０００９】
該本体１の該円形凹溝１１の内縁に沿って複数の第１係合固定部１４が設けられ、且つ、該プラグ３の円形底座３１の周囲に複数の第２係合固定部３３が設けられ、そのうち、第１及び第２係合固定部１４、３３は相互に対応し、プラグ３と本体１を係合により一体とし並びに一定の軸方向に沿って固定するのに供される。
【００１０】
該本体１は一側より該円形凹溝１１にチャネル１５が延伸され、該チャネル１５の両側縁に相互に対応するガイドレール１７が設けられ、該固定片２の両側に該ガイドレール１７に対応するレール２１が設けられ、固定片２がチャネル１５にあって一定の軸方向に沿って往復移動可能とされる。更に、該チャネル１５に位置決めブロック１６が設けられ、且つ該固定片２の一側に係合部２２が設けられ、該係合部２２の位置決めにより、固定片２が本体１のプラットフォーム１２と位置決めブロック１６の間で往復移動可能とされる。このほか、本考案は更に弾性手段４を具え、そのうち固定片２は支持部２３を具え弾性手段４を支持し、且つ弾性手段４の両端はそれぞれ該支持部２３と該本体１の位置決めブロック１６に固定され、これにより、該固定片２が該チャネル１５にあって弾性的に往復移動する。
【００１１】
本考案の特徴は、該プラグ３の円形底座３１の周囲に切欠き３４が設けられ、該切欠き３４が固定片２の係合部２２と対応し、該固定片２が押されて定位置に至る時（即ち該切欠き３４と係合部２２が嵌合する時）、該プラグ３が本体１の円形凹溝１１内で固定され回転停止する。
【００１２】
続いて、図３と図４の使用状態参考図に示されるように、固定片２を先ず本体１のプラットフォーム１２の方向に押して、固定片２の係合部２２を該プラットフォーム１２に当接させる。この時、本考案のプラグ３の円形底座３１を該本体１の円形凹溝１１に挿入し（図２）、並びに図３の矢印方向に沿ってプラグ３１を回して本体１とプラグ３の第１と第２係合固定部１４、３３を相互に対応させて係合させ、一定の軸方向に固定する。その後、該固定片２を開放すると、弾性手段４の弾力により、該固定片２がもとの位置に回復する。
【００１３】
使用時に、該プラグ３のプラグのピンＭを一般のコンセントに挿入する。本考案の本体１のプラットフォーム１２には複数の電器接点１８が設けられ、且つプラグ３の位置決め凹溝３２の両側に複数のプラグ接点３５が設けられ、これら電器接点１８とこれらプラグ接点３５の位置は相互に対応し（図４）、これにより電器の連通を達成する。
【００１４】
これにより、本考案の長所は、複数種類のプラグを携帯する面倒を免除し、更に製造者の少量生産に便利とすることにある。これにより、ＡＣプラグと本体が分離されて製品の応用範囲が広がり、少量の多様な変化の製品を生産できる。さらに、本考案はＡＣアダプタと本体が分離されてモジュール化製造でき、工程標準化レベルを高める。
【００１５】
総合すると、以上は本考案の好ましい実施例の説明であって本考案の権利請求範囲を限定するものではなく、本考案に基づきなしうる細部の修飾或いは改変は、いずれも本考案の請求範囲に属するものとする。
【図面の簡単な説明】
【００１６】
【図１】本考案の分解図である。
【図２】本考案の分解図である。
【図３】本考案の使用状態参考図である。
【図４】本考案の使用状態参考図である。
【符号の説明】
【００１７】
１  本体
１１  円形凹溝
１２  プラットフォーム
１３  位置決め柱
１４  第１係合固定部
１５  チャネル
１６  位置決めブロック
１７  ガイドレール
１８  電器接点
Ｍ  ピン
２  固定片
２１  レール
２２  係合部
２３  支持部
３  プラグ
３１  円形底座
３２  位置決め凹溝
３３  第２係合固定部
３４  切欠き
３５  プラグ接点
４  弾性手段
【図１】
0003105984.tif 000003
【図２】
0003105984.tif 000004
【図３】
0003105984.tif 000005
【図４】
0003105984.tif 000006